(57)【要約】【課題】  非接触記録媒体において、外部からの電磁波的な操作なしには容易に非接触記録媒体を無効化できない点、また、非接触記録媒体の利用者が非接触記録媒体を無効化する方法を容易に認知できない点である。【解決手段】外部装置からの電磁波をアンテナを介して受信して内部回路を駆動させる非接触記録媒体において、易裂性部位、切断開始切りぬき部位、無効化指示表示部などにより、アンテナ及び／又はアンテナとＩＣチップを結ぶ回路の切断を容易にし、もって外部からの非接触記録媒体のデータに対する盗聴、改竄を不可逆的に無効化することを容易にする。【選択図】  図１
2006004390.tif 000002
【特許請求の範囲】
【請求項１】
外部装置からの電磁波をアンテナを介して受信して内部回路を駆動させる非接触記録媒体において、アンテナ及び／又はアンテナとＩＣチップを結ぶ回路を通過する易裂性部位を持ち、易裂性部位の少なくとも一部を切断することにより、非接触記録媒体の外部との電波の送受信が無効化されることを特徴とする非接触記録媒体。
【請求項２】
外部装置からの電磁波をアンテナを介して受信して内部回路を駆動させる非接触記録媒体において、延伸方向にアンテナ及び／又はアンテナとＩＣチップを結ぶ回路があるような切断開始切りぬき部位を有することを特徴とする非接触記録媒体。
【請求項３】
外部装置からの電磁波をアンテナを介して受信して内部回路を駆動させる非接触記録媒体において、外部との情報の送受信を無効化する方法を示す無効化指示表示部を有することを特徴とする非接触記録媒体。
【請求項４】
請求項１記載の易裂性部位と請求項２記載の切断開始切りぬき部位を持つことを特徴とする非接触記録媒体。
【請求項５】
請求項１記載の易裂性部位、請求項２記載の切断開始切りぬき部位、請求項３記載の無効化指示表示部を有することを特徴とする非接触記録媒体。
【請求項６】
ＩＣチップが、書き込み記録（書き換えや再書き込み記録を含む）と読み出しの両方が可能であることを特徴とする請求項１から請求項５のいずれか１項記載の非接触記録媒体。
【請求項７】
ＩＣチップが、予め書き込み記録されている情報データの読み出しのみが可能であって、書き込み記録（書き換えや再書き込み記録を含む）が不可能であることを特徴とする請求項１から請求項５のいずれか１項記載の非接触記録媒体。
【請求項８】
粘着層もしくは接着層を持つことを特徴とする請求項１から請求項７のいずれか１項記載の非接触記録媒体。
【請求項９】
ＩＣチップが、ＩＤもしくは、商品名称、製造者、販売者、製造ロット、製造日付、製造機械、製造担当者、製造場所等の製造情報、調理レシピ、カロリー、賞味期限、お知らせ情報、景品の当たりはずれや応募情報等のキャンペーン情報、店舗情報、原材料名、原材料生産者名、原産地名、容器本体材質、分別回収、ライフサイクルインベントリー情報、アセスメント情報、リサイクル回数、インターネットのホームページ等の情報のいずれか一つが記録されていることを特徴とする請求項１から請求項８のいずれか１項記載の非接触記録媒体。
【請求項１０】
回路又は／及びアンテナが、導電性塗料もしくは導電性金属を用いて形成されていることを特徴とする請求項１から請求項９のいずれか１項記載の非接触記録媒体。
【発明の詳細な説明】
【技術分野】
【０００１】    本発明は、非接触記録媒体に関し、詳しくは、ＩＣカード、ＩＣタグ等において、外部との信号のやりとりを無効化することを可能にする非接触記録媒体に関する。
【背景技術】
【０００２】    ＩＣカード等の記録媒体には、コネクタを介して信号の送受信を直接的に行う接触型の記録媒体と、記録媒体と読み取り／書き込み装置間で電磁波を用いて信号の送受信を行う非接触型の記録媒体がある。【０００３】    非接触記録媒体としては、ＩＣカード、ＩＣタグがある。なお、ＩＣタグは、ＲＦ（Ｒａｄｉｏ  Ｆｒｅｑｕｅｎｃｙ）タグなどとも呼ばれる。【０００４】    また、非接触記録媒体と読み取り／書き込み装置間の通信方式では、静電結合方式、電磁誘導方式、電磁結合方式、マイクロ波方式、光方式が知られている。【０００５】    ＩＣカードは、社員証、入室証、交通期間の定期券などに利用されている。ＩＣタグなどは、近年、在庫管理、販売管理等の商品管理のために商品情報、ＩＤ情報が含まれている形式で商品に取りつけられている。このため、非接触記録媒体には利用者の社会的に重要な情報や、購入した商品の情報などプライバシーに関わる情報が含まれている。【０００６】    しかし、非接触記録媒体は重要な情報を保持しているにも関わらず、空間的に離れた場所からの信号の送受信が可能であるため、非接触記録媒体の利用者に気付かれることなく、非接触記録媒体の利用者以外の者から非接触記録媒体に記憶されたデータの盗聴、データの破壊、改竄などの行為が行われる可能性がある。【０００７】    そこで、情報セキュリティーの向上を図った非接触ＩＣカードを提供するために、ＩＣカードを電磁界内に存在する状態にし、ＩＣカードに孔をあけることにより、ＩＣカード内の不揮発性メモリのデータを消去する装置（特許公開２００２−３６６９２０）が知られているが、専用機器を用いるために無効化するのが面倒である。【０００８】    非接触記録媒体自体には、非接触記録媒体内のデータの読み取りもしくは読み書きを無効化する方法が記載されていない。
【特許文献１】特許公開２００２−３６６９２０
【発明の開示】
【発明が解決しようとする課題】
【０００９】    解決しようとする問題点は、外部からの電磁波的な操作なしには容易に非接触記録媒体を無効化できない点、【００１０】    また、非接触記録媒体の利用者が非接触記録媒体を無効化する方法を容易に認知できない点である。
【課題を解決するための手段】
【００１１】    前記問題を解決するため、本発明は、以下のように構成した。【００１２】    この請求項１記載の発明によれば、非接触記録媒体において、ミシン目などの易裂性部位に沿ってアンテナ、もしくはアンテナとＩＣチップ間の回路を切断する。【００１３】    アンテナに断線が生じると外部からの電磁波を送受信できない。またアンテナとＩＣチップ間の回路に断線が生じても外部との送受信はできない。【００１４】    これにより、非接触記録媒体と読み取り／書き込み装置の通信の送受信を無効化することにより、当該非接触記録媒体内のデータの盗聴、改竄を一層有効に防止することが可能である。【００１５】    またこの請求項１記載の発明によれば、非接触記録媒体が粘着層もしくは接着層を含む多層体より形成されている場合、粘着層もしくは接着層により非接触記録媒体が商品などに粘着または接着していたとしても、少なくとも易裂性部位に沿ってアンテナの層、もしくはアンテナとＩＣチップ間の回路の層を容易に切断することで、非接触記録媒体のデータ読み取りもしくは書き込みを無効化することが可能である。【００１６】    すなわち、非接触記録媒体が粘着もしくは接着している商品、もしくは商品の包装などを傷つけることなく、易裂性部位を切断することにより、非接触記録媒体のデータ読み取りもしくは書き込みを無効化することが可能である。【００１７】    また、この請求項１記載の発明によれば、非接触記録媒体がプラスチック、金属などの硬性体から形成されるときは、ミシン目などの易裂性部位にそって折るように切断する。【００１８】    また、非接触記録媒体が紙、樹脂、フィルムなどの軟性体から形成されるときには、ミシン目などの易裂性部位にそってちぎるように切断する。このように容易に非接触記録媒体を切断することが可能である。【００１９】    請求項１記載の易裂性部位は、易裂性の素材から形成される部位、ミシン目、切りぬき帯、切りぬき糸状物、切りぬきシート、もしくは貫通孔やざぐりなどにより断面積が他の部位より少ない部位などから構成される部位である。【００２０】    この請求項２記載の発明によれば、非接触記録媒体において、切断開始切りぬき部位から手、もしくははさみなどの切断工具を用いることにより、アンテナもしくはアンテナとＩＣチップ間の回路を容易に切断することで、非接触記録媒体と読み取り／書き込み装置の通信の送受信を無効化することにより、非接触記録媒体のデータの盗聴、改竄を防止することが可能である。【００２１】    この請求項３記載の発明によれば、非接触記録媒体は、アンテナ、もしくはアンテナとＩＣチップ間の回路を通過するする部分を断線させる方法を指示する無効化指示表示部を持つ。これにより、利用者は該無効化指示表示部に従って、少なくとも非接触記録媒体の一部を切断すれば非接触記録媒体からのデータの盗聴、改竄を防止することができる。【００２２】    請求項１記載の易裂性部位が切断された、もしくは請求項２記載の切断開始切りぬき部位に誘導され切断された、もしくは請求項３記載の無効化指示表示部に従って切断された非接触記録媒体において、切断された回路もしくはアンテナなどを再度接続させるなどの外部からの加工を行うことなしには、非接触記録媒体内のデータの盗聴、改竄を、不可逆的に防止することが可能である。【００２３】    請求項４記載の発明によれば、切断開始切りぬき部位から切断を始め、易裂性部位を切断することにより、アンテナ、もしくはアンテナとＩＣチップ間の回路を切断する。これにより、非接触記録媒体からのデータの盗聴、改竄を防止できる。【００２４】    この請求項５記載の発明によれば、切断開始切りぬき部位から切断を始め、切断指示表示部の指示に従い、易裂性部位を切断するときに合わせて、アンテナ、もしくはアンテナとＩＣチップ間の回路を切断する。これにより、利用者は非接触記録媒体からのデータの盗聴、改竄を防止できる。【００２５】    この請求項１０記載の発明によれば、非接触記録媒体を形成する回路又は／及びアンテナが導電性塗料を用いて形成される場合も含む。【００２６】    該回路又は／及び該アンテナが金属でなく導電性塗料で形成されている時、該回路又は／及び該アンテナを切断することが容易である。
【発明の効果】
【００２７】    本発明によれば、非接触記録媒体において、回路もしくはアンテナを切断することにより、電磁波的な操作を行う装置を用いることなく、容易に非接触記録媒体内のデータの盗聴、改竄などの行為を、不可逆的に、より一層有効に防止することが可能である。
【発明を実施するための最良の形態】
【００２８】    非接触記録媒体において、外部からの電磁波的な操作なしに、容易に非接触記録媒体を無効化する目的を実現した。
【実施例１】
【００２９】    図１は本発明の非接触記録媒体の実施例１の平面図であって、ＩＣチップ１、アンテナ２、アンテナを通過するような易裂性部位であるミシン目１０、切断開始切りぬき部位３０から構成される。【００３０】    易裂性部位であるミシン目は、ＩＣチップ１とアンテナ２を結ぶ回路を通過するような構成になっていてもよい。【００３１】    図２は、実施例１における図１の切断面Ｉの断面図である。
【実施例２】
【００３２】    図３は、実施例２の平面図であって、易裂性部位である貫通孔１１を持つ。【００３３】    図４は、実施例２における図３の切断面ＩＩの断面図である。
【実施例３】
【００３４】    図５は、実施例３の斜視図である。易裂性部位である切りぬき糸状物の例の一つとして、切りぬき糸１２をもつ。切りぬき糸を引き上げることにより、アンテナ２を切断する。これにより外部との信号の送受信を無効化することが出来る。【００３５】    図６は、実施例３の切断面ＩＩＩの断面図である。【００３６】    基材１は、粘着層もしくは接着層でもよい。そうすれば、非接触記録媒体を商品などに直接粘着もしくは接着することができる。
【実施例４】
【００３７】    図７は、実施例４の斜視図である。易裂性部位である切りぬき帯１３をもつ。切りぬき帯を引き上げることにより、アンテナ２を切断する。これにより外部との信号の送受信を無効化することが出来る。【００３８】    図８は、実施例４の切断面ＩＶの断面図である。粘着層２１により、商品などに貼りつけることが可能である。【００３９】    図８の粘着層２１の部分を接着層として形成することも可能である。また、接着層２１は非接触記録媒体の一表面全部でなく、一部分であってもよい。
【実施例５】
【００４０】    図９は、実施例５の斜視図である。易裂性部位である切りぬきシート１４をもつ。切りぬきシートを引き上げることにより、アンテナ２を切断する。これにより外部との信号の送受信を無効化することが出来る。【００４１】    図１０は、実施例５の切断面Ｖの断面図である。【００４２】    図１０の基材１は無くてもよい。直接、基材２の上にアンテナ、ＩＣチップを形成してもよい。
【実施例６】
【００４３】    図１１は、実施例６の平面図である。無効化指示表示部３１をもつ。【００４４】    無効化指示表示部３１は、「この線に沿って切断すると、タグ内の情報の読出しが著しく困難になります。」という指示文と、矢印の先に示す切断指示線３２から構成されている。【００４５】    非接触記録媒体の利用者は、無効化指示表示部３１の指示に従い、非接触記録媒体を切断するときに、アンテナ２を切断する。これにより外部との信号の送受信を無効化することが出来る。
【産業上の利用可能性】
【００４６】    本発明を商品タグ等に用いれば、購入者は購入時、商品使用前、もしくは商品タグの廃棄時に容易に商品タグ機能を無効化でき、購入者のプライバシーを守ることができる。また販売者は、データの読み取り、もしくは書き込みを無効化できる商品タグを利用することにより、すくなくとも販売時まで非接触記録媒体内の情報読み取りなどにより、配送、在庫管理、販売管理などを容易行うという利点を享受しつつも、購入者に情報の読みお取り・書き込みを無効化することが可能な商品タグを提供することにより、購入者のプライバシーも守ることができる。
【図面の簡単な説明】
【００４７】
【図１】  実施例１の平面図である。
【図２】  実施例１の断面図である。
【図３】  実施例２の平面図である。
【図４】  実施例２の断面図である。
【図５】  実施例３の斜視図である。
【図６】  実施例３の断面図である。
【図７】  実施例４の斜視図である。
【図８】  実施例４の断面図である。
【図９】  実施例５の斜視図である。
【図１０】  実施例５の断面図である。
【図１１】  実施例６の平面図である。
【符号の説明】
【００４８】    １  ＩＣチップ
２  アンテナ
５  基材１
６  基材２
１０  ミシン目
１１  貫通孔
１２  切りぬき糸
１３  切りぬき帯
１４  切りぬきシート
２０  被覆材
２１  粘着層
３０  切断開始切りぬき部位
３１  無効化指示表示部
３２  切断指示線
【図１】
2006004390.tif 000003
【図２】
2006004390.tif 000004
【図３】
2006004390.tif 000005
【図４】
2006004390.tif 000006
【図５】
2006004390.tif 000007
【図６】
2006004390.tif 000008
【図７】
2006004390.tif 000009
【図８】
2006004390.tif 000010
【図９】
2006004390.tif 000011
【図１０】
2006004390.tif 000012
【図１１】
2006004390.tif 000013